(57)【要約】【課題】光源となるＬＥＤの数や駆動電力を削減して省力化を図ることができ、しかも、画面全体を通して視聴者に不自然さを感じさせることのない輝度での映像表示を行なえるように考慮したバックライトユニット及びそれを用いた映像表示装置を提供すること。【解決手段】実施の形態によれば、バックライトユニットは、光源からの出射光を、導光板を通して液晶表示パネルにその背面側から照射するものを対象とする。液晶表示パネルのうち、映像表示画面の中央部に対応する部分に照射する光量を、映像表示画面の周縁部に対応する部分に照射する光量よりも大きく設定する光量制御手段を備える。導光板は、光源から出射され映像表示画面の中央部と周縁部との境界付近に対応する部分以外の部分に入射された光の拡散を防止するレンズ部と、光源から出射され映像表示画面の中央部と周縁部との境界付近に対応する部分に入射された光を拡散させる光拡散部とを備える。【選択図】    図６
2014127461.tif 000002
【特許請求の範囲】
【請求項１】
光源からの出射光を、導光板を通して液晶表示パネルにその背面側から照射するエッジライト型のバックライトユニットであって、
前記液晶表示パネルのうち、映像表示画面の中央部に対応する部分に照射する光量を、前記映像表示画面の周縁部に対応する部分に照射する光量よりも大きく設定する光量制御手段を具備し、
前記導光板は、
前記光源から出射され前記映像表示画面の中央部と周縁部との境界付近に対応する部分以外の部分に入射された光の拡散を防止するためのレンズ部と、
前記光源から出射され前記映像表示画面の中央部と周縁部との境界付近に対応する部分に入射された光を拡散させるための光拡散部とを備えるバックライトユニット。
【請求項２】
前記光源は、前記導光板の一端部に沿って配列された複数のＬＥＤを有し、
前記導光板には、前記映像表示画面の中央部と周縁部との境界付近に対応する部分以外の部分に、前記複数のＬＥＤの配列方向に直交する方向に延設される山状あるいは溝状のレンズ部が、前記複数のＬＥＤの配列方向に沿って所定の繰り返しピッチで形成される請求項１記載のバックライトユニット。
【請求項３】
前記導光板に形成する前記光拡散部の範囲は、前記映像表示画面の中央部と周縁部との境界に設定した中心線に対して画面左右方向に、それぞれ、最大で前記導光板の水平方向の長さの５％、最小で前記複数のＬＥＤの設置間隔に設定される請求項１記載のバックライトユニット。
【請求項４】
前記導光板には、前記映像表示画面の中央部と周縁部との境界付近に対応する部分に、前記レンズ部の繰り返しピッチを前記映像表示画面の中央部と周縁部との境界付近に対応する部分以外の部分よりも長く設定した光拡散部が形成される請求項２記載のバックライトユニット。
【請求項５】
前記導光板には、前記映像表示画面の中央部と周縁部との境界付近に対応する部分に、前記レンズ部が形成されないことによる光拡散部が形成される請求項２記載のバックライトユニット。
【請求項６】
前記導光板には、前記映像表示画面の中央部と周縁部との境界付近に対応する部分に、前記レンズ部の高低差を前記映像表示画面の中央部と周縁部との境界付近に対応する部分以外の部分よりも小さく設定した光拡散部が形成される請求項２記載のバックライトユニット。
【請求項７】
前記導光板には、前記複数のＬＥＤからの出射光が入射する面で、前記映像表示画面の中央部と周縁部との境界付近に対応する部分に、入射光を拡散させるための光拡散部が形成される請求項２記載のバックライトユニット。
【請求項８】
光源からの出射光を、導光板を通して液晶表示パネルにその背面側から照射するエッジライト型のバックライトユニットを備えた映像表示装置であって、
前記液晶表示パネルのうち、映像表示画面の中央部に対応する部分に照射する光量を、前記映像表示画面の周縁部に対応する部分に照射する光量よりも大きく設定する光量制御手段を具備し、
前記導光板は、
前記光源から出射され前記映像表示画面の中央部と周縁部との境界付近に対応する部分以外の部分に入射された光の拡散を防止するためのレンズ部と、
前記光源から出射され前記映像表示画面の中央部と周縁部との境界付近に対応する部分に入射された光を拡散させるための光拡散部とを備える映像表示装置。
【発明の詳細な説明】
【技術分野】
【０００１】
この発明の実施の形態は、エッジライト型のバックライトユニット及びそれを用いた映像表示装置に関する。
【背景技術】
【０００２】
周知のように、現在では、映像の表示に液晶表示パネルを使用した映像表示装置が採用されている。この映像表示装置は、画素毎に光の透過量を制御する液晶表示パネルの背面にバックライトを併設し、当該バックライトからの照明光を液晶表示パネルに透過させることにより映像を再現している。
【０００３】
これにより、この種の映像表示装置は、ＣＲＴ（cathode ray tube）を使用した映像表示装置に比べて薄く軽量に構成することができるようになる。そして、特に、画面の大型化が容易に可能となるため、現在のように大画面指向のデジタルテレビジョン放送受信装置が普及した要因ともなっている。
【０００４】
ところで、このような映像表示装置のバックライトは、例えば蛍光管や放電等のような冷陰極管等を光源として使用しているため、駆動電力が高く寿命も短いという不都合がある。そこで、現在では、バックライトの光源として、低電圧駆動が可能で耐久性に優れているという点から、白色ＬＥＤ（light emitting diode）が使用されている。
【０００５】
そして、この種の映像表示装置では、そのバックライトをエッジライト型として、つまり、液晶表示パネルの端面に沿って複数のＬＥＤを配設し、各ＬＥＤからの出射光を導光板により液晶表示パネルの背面に略均一となるように照射する構造として、より一層の薄型化を促進することも考えられている。
【０００６】
しかしながら、このようにエッジライト型のバックライトを使用した映像表示装置は、まだまだ開発途上にある段階であり、その実用化に際しては種々の点で改良すべき余地が多く残されている。特に、バックライトを構成するＬＥＤの数や駆動電力等を削減して省力化を図ることが重要となっている。
【先行技術文献】
【特許文献】
【０００７】
【特許文献１】特開２０１２−９１８７号公報
【発明の概要】
【発明が解決しようとする課題】
【０００８】
光源となるＬＥＤの数や駆動電力を削減して省力化を図ることができ、しかも、画面全体を通して視聴者に不自然さを感じさせることのない輝度（明るさ）での映像表示を行なえるように考慮したバックライトユニット及びそれを用いた映像表示装置を提供することを目的とする。
【課題を解決するための手段】
【０００９】
実施の形態によれば、バックライトユニットは、光源からの出射光を、導光板を通して液晶表示パネルにその背面側から照射するエッジライト型のバックライトユニットを対象としている。そして、液晶表示パネルのうち、映像表示画面の中央部に対応する部分に照射する光量を、映像表示画面の周縁部に対応する部分に照射する光量よりも大きく設定する光量制御手段を備える。また、導光板は、光源から出射され映像表示画面の中央部と周縁部との境界付近に対応する部分以外の部分に入射された光の拡散を防止するためのレンズ部と、光源から出射され映像表示画面の中央部と周縁部との境界付近に対応する部分に入射された光を拡散させるための光拡散部とを備える。
【図面の簡単な説明】
【００１０】
【図１】実施の形態としての液晶表示装置の一例を概略的に説明するために示す側面図。
【図２】同実施の形態における液晶表示装置を構成するバックライトユニットの一例を説明するために示す正面図。
【図３】同実施の形態におけるバックライトユニットを構成するＬＥＤバーの一例を説明するために示す平面図。
【図４】同実施の形態におけるバックライトユニットを構成する導光板の一例を説明するために示す正面図。
【図５】同実施の形態における導光板に形成されたレンズ部の形状の一例を説明するために示す図。
【図６】同実施の形態における導光板に形成されたレンズ部の主要な構成の一例を説明するために示す図。
【図７】同実施の形態における導光板に形成されたレンズ部の主要な構成の他の例を説明するために示す図。
【図８】同実施の形態における導光板に形成されたレンズ部の主要な構成のさらに他の例を説明するために示す図。
【図９】同実施の形態における導光板に形成されたレンズ部の形状の変形例を説明するために示す図。
【図１０】同実施の形態におけるバックライトユニットを構成するＬＥＤバーの他の例を説明するために示す平面図。
【図１１】同実施の形態におけるバックライトユニットを構成するＬＥＤバーのさらに他の例を説明するために示す平面図。
【発明を実施するための形態】
【００１１】
以下、実施の形態について図面を参照して詳細に説明する。図１は、この実施の形態で説明する映像表示装置としての液晶表示装置１１の一例を概略的に示している。この液晶表示装置１１は、画素毎に光の透過量を制御する液晶表示パネル１２と、この液晶表示パネル１２の背面に照明光を照射するバックライトユニット１３とを備えている。
【００１２】
このうち、上記液晶表示パネル１２は、画素駆動側となる基板モジュール１４と対向電極側となる基板モジュール１５とを、相互に面対向させた状態で所定間隔離間させて併設している。そして、両基板モジュール１４，１５の相互間に液晶を封入して液晶層１６を形成する構造となっている。
【００１３】
また、上記画素駆動側となる基板モジュール１４は、上記液晶層１６と面対向するガラス基板１４ａを備えている。そして、このガラス基板１４ａの液晶層１６と反対の面側に偏光板１４ｂを積層し、当該ガラス基板１４ａの他方の面側に、画素電極や駆動用の薄膜トランジスタ等が形成された透明導電膜１４ｃと、配向膜１４ｄとを順次積層する構造となっている。
【００１４】
さらに、上記対向電極側となる基板モジュール１５も、上記液晶層１６と面対向するガラス基板１５ａを備えている。そして、このガラス基板１５ａの液晶層１６と反対の面側に偏光板１５ｂを積層し、当該ガラス基板１５ａの他方の面側に、カラーフィルタ１５ｃと、対向電極が形成された透明導電膜１５ｄと、配向膜１５ｅとを順次積層する構造となっている。
【００１５】
また、上記バックライトユニット１３は、エッジライト型の構造を有しており、液晶表示パネル１２の背面に面対向するように設置された導光板１７を備えている。この導光版１７には、その一端部（図１では下端部）に光源ユニット１８が設置されるとともに、その液晶表示パネル１２と反対の面側に反射板１９が設置されている。
【００１６】
そして、このバックライトユニット１３は、光源ユニット１８からの出射光を導光板１７の下端部（光入射面１７ａ）に照射する。これにより、光源ユニット１８からの出射光が導光板１７に取り入れられ、その反射板１９の設置面と反対側の面（光出射面１７ｂ）から放出される。このため、バックライトユニット１３から、液晶表示パネル１２の背面全域に光を照射することができるようになる。
【００１７】
図２は、上記導光板１７及び光源ユニット１８を、光の出射面側、つまり、液晶表示パネル１２側から見た状態の一例を示している。すなわち、導光板１７は、液晶表示パネル１２の有効表示画面と略同じサイズ、つまり、液晶表示装置１１の実質的な映像表示画面と略同じサイズの光出射面１７ｂを備えている。
【００１８】
また、上記光源ユニット１８は、導光板１７の光入射面１７ａに沿って配設されるＬＥＤバー２０を備えている。このＬＥＤバー２０は、導光板１７の光入射面１７ａに沿って配設される帯状の印刷配線基板２１と、この印刷配線基板２１上にその長手方向に沿って一定の間隔で接続される複数のＬＥＤ２２，２２，……とを備えている。なお、この複数のＬＥＤ２２，２２，……としては、例えば白色ＬＥＤ等が採用されるものとする。
【００１９】
そして、これら複数のＬＥＤ２２，２２，……を通電駆動することにより、各ＬＥＤ２２，２２，……からの出射光が導光板１７の光入射面１７ａに入射される。これにより、導光板１７に入射された光が、その光出射面１７ｂから液晶表示パネル１２の背面に向けて照射されることになる。
【００２０】
ここで、この液晶表示装置１１では、その映像表示画面の中央部の輝度（明るさ）を、画面周縁部よりも高くすることによって、視聴者が画面を見たときにおける表示映像の明るさ感を向上させるようにしている。
【００２１】
すなわち、映像表示画面の中央部の輝度を高くすれば、画面全体の輝度を高くすることなく、つまり、画面周縁部の輝度まで高くすることなく、視聴者に表示映像を明るいと感じさせることができる。これにより、光源となるＬＥＤ２２，２２，……の数や駆動電力を削減することができ、省力化を図ることが可能となる。
【００２２】
なお、映像表示画面の中央部の輝度を画面周縁部の輝度に比してどの程度高くするか、つまり、映像表示画面の中央部の輝度と画面周縁部の輝度との差をどの程度に設定するかは、画面の明るさに関して視聴者に不自然さを感じさせない範囲に設定されることはもちろんである。
【００２３】
このように、映像表示画面の中央部の輝度を画面周縁部の輝度よりも高くするために、ＬＥＤバー２０を構成する複数のＬＥＤ２２，２２，……のうち、映像表示画面の中央部を照射する光を出射するＬＥＤ２２，２２，……の発光量を、画面の周縁部を照射する光を出射するＬＥＤ２２，２２，……の発光量よりも大きくするようにしている。
【００２４】
この場合、輝度を高くすべき映像表示画面の中央部とは、導光板１７（映像表示画面のサイズに対応）の水平方向の長さをＷとすると、導光板１７を水平方向に２分する中心線Ｌからそれぞれ左右方向に最大でＷ／４の長さをとった、合計の長さがＷ／２以下となる水平方向の範囲内を想定している。また、画面周縁部とは、上記した映像表示画面の中央部の範囲外を想定している。
【００２５】
なお、上記した範囲内（映像表示画面の中央部）及び範囲外（画面周縁部）において、垂直方向の輝度は、それぞれ略均一に設定される。つまり、映像表示画面の中央部及び画面周縁部とは、画面の水平方向についての範囲を規定しているもので、画面の垂直方向についての範囲を規定しているものではない。
【００２６】
このように、映像表示画面に対して、その水平方向における中央部の輝度を、その他の部分の輝度よりも高くすることにより、画面全体の輝度を高くすることなく、視聴者に表示映像を明るいと感じさせることができる。
【００２７】
すなわち、映像表示画面の中央部を、導光板１７の中央部で水平方向に最大でＷ／２の長さの範囲内とすることにより、その範囲内の輝度を画面周縁部の輝度よりも高く設定すれば、画面周縁部の輝度まで高くすることなく、視聴者に対して表示映像を明るいと感じさせる効果を得ることができる。
【００２８】
図３は、上記ＬＥＤバー２０を構成する複数のＬＥＤ２２，２２，……のうち、映像表示画面の中央部を照射する光を出射するＬＥＤ２２，２２，……の発光量を、画面の周縁部を照射する光を出射するＬＥＤ２２，２２，……の発光量よりも大きくする手段の一例を示している。
【００２９】
すなわち、映像表示画面の周縁部を照射する光を出射するＬＥＤ２２，２２，……、つまり、図３に示すＬＥＤバー２０において、その映像表示画面の周縁部に対応する両端部の領域Ａ１，Ａ１に設置されているＬＥＤ２２，２２，……を、１つのＬＥＤ筐体内に１つのＬＥＤチップが収容された通常の１チップＬＥＤ２２ａ，２２ａ，……としている。
【００３０】
これに対し、映像表示画面の中央部を照射する光を出射するＬＥＤ２２，２２，……、つまり、図３に示すＬＥＤバー２０において、その映像表示画面の中央部に対応する領域Ａ２に設置されているＬＥＤ２２，２２，……を、１つのＬＥＤ筐体内に２つのＬＥＤチップが収容された２チップＬＥＤ２２ｂ，２２ｂ，……としている。これにより、映像表示画面の中央部に対する照射光量を、画面周縁部に対する照射光量よりも大きくするようにしている。
【００３１】
ここで、上記導光版１７の光出射面１７ｂには、図４に示すように、光源ユニット１８を構成するＬＥＤバー２０の長手方向、つまり、複数のＬＥＤ２２，２２，……の配列方向に直交する方向に延設されたレンズ部２３が形成されている。このレンズ部２３は、図５に一例を示すように、逆Ｖ字形の山状（またはＶ字形の溝状）に形成され、導光板１７の光出射面１７ｂに、映像表示画面の水平方向に対応して繰り返し形成されている。
【００３２】
このレンズ部２３の導光板１７の水平方向に沿った繰り返しピッチ及び各レンズ部２３の高低差は、それぞれが数１００μｍ程度のオーダであり、レンズ部２３を含めた導光板１７の厚みは、２〜４ｍｍ程度を想定している。
【００３３】
このように、導光板１７の光出射面１７ｂに、複数のＬＥＤ２２，２２，……の配列方向に直交する方向、つまり、映像表示画面の垂直方向に対応する方向にレンズ部２３を形成することにより、光源ユニット１８から出射され導光板１７に入射した光は、無駄に拡散することなく導光板１７内を、映像表示画面の垂直方向に対応する方向に効率よく導かれることになる。これにより、導光板１７に入射した光は、その光出射面１７ｂから液晶表示パネル１２の背面に略均一に出射されることになる。
【００３４】
ところで、導光板１７の光出射面１７ｂにレンズ部２３を形成し、導光板１７の光入射面１７ａに入射した光を、導光板１７の反対側の端部付近まで導くようにした場合、前述したように、映像表示画面の中央部に対する照射光量を画面周縁部に対する照射光量よりも大きくするようにすると、映像表示画面の中央部と画面周縁部との境界で輝度の差が目立ち易くなり、視聴者に不自然さを感じさせてしまうことになる。
【００３５】
そこで、この実施の形態では、導光板１７の光出射面１７ｂのうち、映像表示画面の中央部と画面周縁部との境界付近に対応する部分に対して、レンズ部２３の形状を、導光板１７に入射した光が拡散して相互に混合し易くなるような形状にしている。このようにすることにより、映像表示画面の中央部の輝度を画面周縁部より高く設定しても、つまり、導光板１７の映像表示画面の中央部に対応する部分に入射する光の光量を、導光板１７の画面周縁部に対応する部分に入射する光の光量より大きくしても、映像表示画面の中央部と画面周縁部との境界付近では、両方の光が導光板１７内で拡散し混合するので、映像表示画面の中央部と画面周縁部との境界における輝度の差が目立ち難くなる。これにより、画面全体を通して視聴者に不自然さを感じさせることのない明るさでの映像表示を行なえるようになる。
【００３６】
図６は、上記導光板１７の光出射面１７ａのうち、映像表示画面の中央部と画面周縁部との境界付近に対応する部分におけるレンズ部２３の形状の一例について示している。すなわち、前述したように、上記ＬＥＤ２２，２２，……には、１つのＬＥＤ筐体２２ａ１内に１つのＬＥＤチップ２２ａ２が収容されてなる１チップＬＥＤ２２ａ，２２ａ，……と、１つのＬＥＤ筐体２２ｂ１内に２つのＬＥＤチップ２２ｂ２，２２ｂ２が収容された２チップＬＥＤ２２ｂ，２２ｂ，……とがある。
【００３７】
そして、各ＬＥＤ２２，２２，……は、１チップＬＥＤ２２ａ，２２ａ，……及び２チップＬＥＤ２２ｂ，２２ｂ，……を問わず、全て同じ間隔（ピッチ）Ｐで印刷配線基板２１上に配列されている。すなわち、隣接する１チップＬＥＤ２２ａ，２２ａ相互間の間隔と、隣接する２チップＬＥＤ２２ｂ，２２ｂ相互間の間隔と、隣接する１チップＬＥＤ２２ａと２チップＬＥＤ２２ｂとの相互間の間隔とは、全て同じ間隔Ｐに設定されている。
【００３８】
ここで、導光板１７の光出射面１７ｂのうち、映像表示画面の中央部と画面周縁部との境界付近に対応する部分、つまり、１チップＬＥＤ２２ａと２チップＬＥＤ２２ｂとが隣接する位置に対応する部分は、レンズ部２３の繰り返しピッチを他の部分よりも長く設定している。換言すれば、導光板１７の光出射面１７ｂの当該部分には、レンズ部２３を形成しないようにしている。
【００３９】
このように、導光板１７の光出射面１７ｂのうち、１チップＬＥＤ２２ａと２チップＬＥＤ２２ｂとが隣接する位置に対応する部分に、レンズ部２３を存在させないようにすることにより、１チップＬＥＤ２２ａからの出射光と２チップＬＥＤ２２ｂからの出射光とが導光板１７内で拡散し混合し易くなるので、映像表示画面の中央部と画面周縁部との境界における輝度の差が目立ち難くなる。これにより、画面全体を通して視聴者に不自然さを感じさせることのない明るさでの映像表示を行なえるようになる。
【００４０】
この場合、導光板１７の光出射面１７ｂのうち、レンズ部２３を存在させないようにする部分の範囲は、各ＬＥＤ２２，２２，……の配列方向に直交し、隣接する１チップＬＥＤ２２ａと２チップＬＥＤ２２ｂとの間隔Ｐを２分する中心線Ｍに対して左右方向に、それぞれ、最大で導光板１７の水平方向の長さＷの５％（つまり、Ｗ／２０）、最小で各ＬＥＤ２２，２２，……の設置間隔Ｐを想定している。
【００４１】
図７は、上記導光板１７の光出射面１７ｂのうち、映像表示画面の中央部と画面周縁部との境界付近に対応する部分におけるレンズ部２３の形状の他の例について示している。すなわち、導光板１７の光出射面１７ｂのうち、映像表示画面の中央部と画面周縁部との境界付近に対応する部分、つまり、１チップＬＥＤ２２ａと２チップＬＥＤ２２ｂとが隣接する位置に対応する部分には、他の部分に形成されたレンズ部２３よりも、繰り返しピッチが長く高低差の小さいレンズ部２３ａが形成されている。
【００４２】
このように、導光板１７の光出射面１７ｂのうち、１チップＬＥＤ２２ａと２チップＬＥＤ２２ｂとが隣接する位置に対応する部分に、他の部分よりも繰り返しピッチが長く高低差の小さいレンズ部２３ａを形成することによっても、他のレンズ部２３に比して、１チップＬＥＤ２２ａからの出射光と２チップＬＥＤ２２ｂからの出射光とを導光板１７内で拡散させ混合させ易くなるので、映像表示画面の中央部と画面周縁部との境界における輝度の差が目立ち難くなる。これにより、画面全体を通して視聴者に不自然さを感じさせることのない明るさでの映像表示を行なえるようになる。
【００４３】
この場合、導光板１７の光出射面１７ｂのうち、他の部分よりも繰り返しピッチが長く高低差の小さいレンズ部２３ａを形成する部分の範囲は、先に述べたように、各ＬＥＤ２２，２２，……の配列方向に直交し、隣接する１チップＬＥＤ２２ａと２チップＬＥＤ２２ｂとの間隔Ｐを２分する中心線Ｍに対して左右方向に、それぞれ、最大で導光板１７の水平方向の長さＷの５％（Ｗ／２０）、最小で各ＬＥＤ２２，２２，……の設置間隔Ｐを想定している。
【００４４】
なお、導光板１７の光出射面１７ｂのうち、１チップＬＥＤ２２ａと２チップＬＥＤ２２ｂとが隣接する位置に対応する部分に形成するレンズ部２３ａとしては、他の部分に形成されるレンズ部２３に比して、繰り返しピッチだけを長くしたり、高低差だけを小さくしたりするようにしても良いものである。要するに、１チップＬＥＤ２２ａからの出射光と２チップＬＥＤ２２ｂからの出射光とを導光板１７内で拡散して混合し、映像表示画面の中央部と画面周縁部との境界における輝度の差が目立ち難くなるようにできれば良いものである。
【００４５】
また、図８に示すように、上記導光板１７の光入射面１７ａのうち、映像表示画面の中央部と画面周縁部との境界付近に対応する部分、つまり、１チップＬＥＤ２２ａと２チップＬＥＤ２２ｂとが隣接する位置に対応する部分に、導光板１７の厚み方向に沿って逆Ｖ字形の山状（またはＶ字形の溝状）のレンズ部２３ｂを形成することも考えられる。この場合、レンズ部２３ｂの繰り返しピッチとしては、例えば２５μｍ程度が想定される。また、導光板１７の光出射面１７ｂには、上記したレンズ部２３が形成されていても良いことはもちろんである。
【００４６】
このような構成とすることにより、１チップＬＥＤ２２ａからの出射光と２チップＬＥＤ２２ｂからの出射光とが、レンズ部２３ｂにより拡散され混合されて導光板１７内に入射されるので、映像表示画面の中央部と画面周縁部との境界における輝度の差が目立ち難くなる。これにより、画面全体を通して視聴者に不自然さを感じさせることのない明るさでの映像表示を行なえるようになる。
【００４７】
なお、導光板１７の光入射面１７ａのうちレンズ部２３ｂを形成する部分の範囲は、先に述べたように、各ＬＥＤ２２，２２，……の配列方向に直交し、隣接する１チップＬＥＤ２２ａと２チップＬＥＤ２２ｂとの間隔Ｐを２分する中心線Ｍに対して左右方向に、それぞれ、最大で導光板１７の水平方向の長さＷの５％（Ｗ／２０）、最小で各ＬＥＤ２２，２２，……の設置間隔Ｐを想定している。
【００４８】
なお、映像表示画面の中央部と画面周縁部との境界における輝度の差を目立たせないようにするためには、図６乃至図８で説明した手法に加えて、導光板１７とＬＥＤバー２０との距離を調整する手法や、導光板１７の光入射面１７ａをその厚み方向にテーパ加工する手法等を合わせることも効果的である。
【００４９】
また、上記導光板１７の光出射面１７ｂに形成されるレンズ部２３，２３ａや、光入射面１７ａに形成されるレンズ部２３ｂとしては、逆Ｖ字形の山状（またはＶ字形の溝状）としたが、このような形状に限らず、例えば図９（ａ）に示すように、逆Ｖ字形の山の頂部を湾曲させるようにしても良いものである。さらに、図９（ｂ）に示すように、逆Ｖ字形の山の頂部とＶ字形の溝の底部とを、共に湾曲させるようにしても良いものである。また、図９（ｃ）に示すように、矩形状でその角部分を湾曲させるようにした形状でも良いものである。要するに、レンズ部２３，２３ａ，２３ｂとしては、光を導く範囲に応じて種々の形状のものを使用することが可能である。また、形状も一種類に限らず、多種類の形状を混在させて使用することが可能である。
【００５０】
図１０及び図１１は、それぞれ、上記ＬＥＤバー２０を構成する複数のＬＥＤ２２，２２，……のうち、映像表示画面の中央部を照射する光を出射するＬＥＤ２２，２２，……の発光量を、画面の周縁部を照射する光を出射するＬＥＤ２０，２０，……の発光量よりも大きくする手段の他の例を示している。
【００５１】
すなわち、図１０に示す例は、映像表示画面の中央部に対応するＬＥＤバー２０の領域Ａ２に設置されるＬＥＤ２０，２０，……のチップ面積を、映像表示画面の周縁部に対応するＬＥＤバー２０の領域Ａ１，Ａ１に設置されるＬＥＤ２０，２０，……のチップ面積の２倍にして、映像表示画面の中央部に対する照射光量を画面周縁部に対する照射光量よりも大きくするようにしている。
【００５２】
また、図１１に示す例は、映像表示画面の中央部に対応するＬＥＤバー２０の領域Ａ２に設置されるＬＥＤ２０，２０，……の密度を、映像表示画面の周縁部に対応するＬＥＤバー２０の領域Ａ１，Ａ１に設置されるＬＥＤ２０，２０，……の密度の２倍にして、映像表示画面の中央部に対する照射光量を画面周縁部に対する照射光量よりも大きくするようにしている。
【００５３】
さらに、映像表示画面の中央部に対応するＬＥＤバー２０の領域Ａ２に設置されるＬＥＤ２０，２０，……に流す電流量を、映像表示画面の周縁部に対応するＬＥＤバー２０の領域Ａ１，Ａ１に設置されるＬＥＤ２０，２０，……に流す電流量より多くすることによっても、映像表示画面の中央部に対する照射光量を画面周縁部に対する照射光量よりも大きくすることが可能である。
【００５４】
また、図３、図１０及び図１１で説明した手法や、ＬＥＤ２０，２０，……に流す電流量を可変する手法等を、適宜組み合わせることによっても、映像表示画面の中央部に対する照射光量を画面周縁部に対する照射光量よりも大きくすることができる。
【００５５】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００５６】
１１…液晶表示装置、１２…液晶表示パネル、１３…バックライトユニット、１４…基板モジュール、１４ａ…ガラス基板、１４ｂ…偏光板、１４ｃ…透明導電膜、１４ｄ…配向膜、１５…基板モジュール１４、１５ａ…ガラス基板、１５ｂ…偏光板、１５ｃ…カラーフィルタ、１５ｄ…透明導電膜、１５ｅ…配向膜、１６…液晶層、１７…導光板、１７ａ…光入射面、１７ｂ…光出射面、１８…光源ユニット、１９…反射板、２０…ＬＥＤバー、２１…印刷配線基板、２２…ＬＥＤ、２２ａ…１チップＬＥＤ、２２ａ１…ＬＥＤ筐体、２２ａ２…ＬＥＤチップ、２２ｂ…２チップＬＥＤ、２２ｂ１…ＬＥＤ筐体、２２ｂ２…ＬＥＤチップ、２３…レンズ部、２３ａ…レンズ部、２３ｂ…レンズ部。
【図１】
2014127461.tif 000003
【図２】
2014127461.tif 000004
【図３】
2014127461.tif 000005
【図４】
2014127461.tif 000006
【図５】
2014127461.tif 000007
【図６】
2014127461.tif 000008
【図７】
2014127461.tif 000009
【図８】
2014127461.tif 000010
【図９】
2014127461.tif 000011
【図１０】
2014127461.tif 000012
【図１１】
2014127461.tif 000013